(57)【特許請求の範囲】
【請求項１】
高所作業装置の支柱(4)の外側面に位置して主軸(8)を介して枢結された枢結部(9)から延びる支脚(10)を前記支柱(4)に沿う上向き姿勢とする閉脚姿勢(P1)と、該閉脚姿勢から反転して下向き傾斜姿勢とする開脚姿勢(P2)との間で回動自在とする補助脚(7)を設けて成るアウトリガー装置であり、
前記支脚(10)に設けられた被係止手段(11)と、前記支柱(4)の内側面に位置して設けられた係止手段(12)により、姿勢ロック装置(13)を構成し、
前記被係止手段(11)は、前記支脚(10)と一体回動するように前記枢結部(9)から延設された固定アーム(15)に設けた開脚ロック歯(17)により構成され、前記開脚ロック歯(17)は、前記支脚(10)を開脚姿勢(P2)としたとき支柱(4)の内側に突出し、前記支脚(10)を開脚姿勢(P2)から閉脚方向(NG)に回動するとき下向き回動するように構成され、
前記係止手段(12)は、揺動軸(18)を介して前記支柱(4)に枢結されたロックアーム(19)の先端部に設けた開脚ロック爪(21)により構成され、前記開脚ロック爪(21)は、前記開脚ロック歯(17)に向けて、前記ロックアーム(19)に設けられたスプリング(22)により該ロックアーム(19)と共に前記支柱(4)の内側から外側に向かう噛合方向(F)に付勢され、
前記支脚(10)を開脚姿勢(P2)としたとき、前記支柱(4)の内側で下向きとされる開脚ロック歯(17)に対して、前記開脚ロック爪(21)が下側から噛合された状態で前記噛合方向(F)に圧接されるように構成されて成ることを特徴とする高所作業装置におけるアウトリガー装置。
【請求項２】
前記ロックアーム(19)は、揺動軸(18)の中心から半径(R2)により規定される円弧(M2)に関し、該円弧(M2)に沿って揺動するように前記開脚ロック爪(21)を設け、
前記固定アーム(15)は、主軸(8)の中心から半径(r2)により規定され、前記円弧(M2)に交わる円弧(m2)に関し、支脚を開脚姿勢(P2)としたときに前記ロックアームの円弧(M2)と該固定アームの円弧(m2)が交わる部位に臨んで前記開脚ロック歯(17)を設けており、
支脚を開脚姿勢(P2)としたとき、前記開脚ロック爪(21)を前記開脚ロック歯(17)に係止するように構成して成ることを特徴とする請求項１に記載の高所作業装置におけるアウトリガー装置。
【請求項３】
前記固定アーム(15)に設けた開脚ロック歯(17)は、開脚姿勢(P2)とされた支脚の支柱に対する開脚角度を選択自在とする複数歯を該固定アームの延長方向に列設しており、
前記複数歯は、前記揺動軸(18)を中心とする開脚ロック爪(21)の揺動軌跡(M2)に対して、該軌跡上に位置する標準歯(17a)と、該軌跡(M2)よりも内側又は外側に位置する少なくとも１個の選択歯(17b,17c)を備えて成ることを特徴とする請求項１又は２に記載の高所作業装置におけるアウトリガー装置。
【請求項４】
前記ロックアーム(19)は、揺動軸(18)の中心から距離を相違する２つの第１半径(R1)と第２半径(R2)により規定される２つの第１円弧(M1)と第２円弧(M2)に関し、第１円弧(M1)に沿って揺動するように閉脚ロック爪(20)を設けると共に、第２円弧(M2)に沿って揺動するように前記開脚ロック爪(21)を設け、
前記固定アーム(15)は、主軸(8)の中心から距離を相違する２つの第１半径(r1)と第２半径(r2)により規定され、それぞれ前記円弧(M1)(M2)に交わる２つの第１円弧(m1)と第２円弧(m2)に関し、支脚を閉脚姿勢(P1)としたときに前記ロックアームの第１円弧(M1)と該固定アームの第１円弧(m1)が交わる部位に臨んで閉脚ロック歯(16)を設け、支脚を開脚姿勢(P2)としたときに前記ロックアームの第２円弧(M2)と該固定アームの第２円弧(m2)が交わる部位に臨んで前記開脚ロック歯(17)を設けており、
支脚を閉脚姿勢(P1)としたとき、前記閉脚ロック爪(20)を前記閉脚ロック歯(16)に係止し、支脚を開脚姿勢(P2)としたとき、前記開脚ロック爪(21)を前記開脚ロック歯(17)に係止するように構成して成ることを特徴とする請求項１、２又は３に記載の高所作業装置におけるアウトリガー装置。
【請求項５】
支柱(4)に貫設した係止孔(27)と、補助脚(7)に回動自在に枢結した基板部(30)の係止突起(28)により、補助脚(7)を閉脚姿勢(P1)としたとき前記係止突起を係止孔に係脱自在に係止する閉脚ロック装置(26)を構成しており、
前記係止突起(28)は、前記係止孔に進入自在な突起部(28a)と、該突起部の先端から折返された傾斜面を有するガイド部(28b)と、該ガイド部の先端の係止端部(28c)を備え、
前記基板部(30)は、スプリング(31)により前記係止端部を回動方向の前向きとする回動方向(R1)に付勢されると共に、該基板部から延設された操作アームの操作部(32a)を補助脚に形成した窓孔(33)から突出させ、該操作部を介して基板部をスプリングに抗する逆転方向(R2)に回動可能とするように構成しており、
補助脚を支柱に重ねた閉脚姿勢(P1)としたとき、係止孔(27)の係止縁(27a)が前記ガイド部(28b)を押圧することにより基板部及び係止突起をスプリングに抗して逆転方向(R2)に回動させることにより係止突起(28)を係止孔(27)に挿入させ、ガイド部(28b)が前記係止縁(27a)を乗り越えたとき、基板部及び係止突起をスプリングにより回動方向(R1)に回動復帰させることにより係止端部(28c)を係止縁から偏位した個所に係止し、係止突起(28)を係止孔(27)に脱出不能にロックするように構成して成ることを特徴とする請求項１、２、３又は４に記載の高所作業装置におけるアウトリガー装置。
【発明の詳細な説明】
【技術分野】
【０００１】
本発明は、脚立、梯子、作業台等の高所作業装置におけるアウトリガー装置に関する。
【背景技術】
【０００２】
従来、脚立、梯子、作業台、その他の高所作業装置（以下単に「高所作業装置」と総称する。）は、地面に安定設置できるように構成されているが、不整地面や、作業者の重心移動、その他の原因により、万一転倒すると、人身事故のおそれがあるため、高所作業装置の支柱にアウトリガー装置を装着したものが提案されている。
【先行技術文献】
【特許文献】
【０００３】
【特許文献１】特開２０１３−２４９６１２号公報
【特許文献２】特開２０１３−１７７７８４号公報
【特許文献３】特開２００５−４２５０７号公報
【発明の概要】
【発明が解決しようとする課題】
【０００４】
アウトリガー装置は、高所作業装置の支柱の側方に張出して開脚される補助脚を備えており、補助脚は、不使用時には前記支柱に沿うように閉脚可能であり、必要に応じて、開脚することにより使用される。
【０００５】
補助脚の閉脚と開脚は、前記支柱と補助脚の間に構成した折畳み自在なリンク機構により可能とされ、この際、リンク機構は、補助脚を閉脚したとき、支柱と補助脚に重なり合って格納可能とすることが好ましい。
【０００６】
ところが、補助脚の開閉のためにリンク機構を設けることは、部品点数が多く、構造が複雑化することにより、コスト高を招来するばかりでなく、高所作業装置の全体重量を増す原因となり、持ち運び等を不便とする。
【０００７】
そこで、補助脚を支柱に対して枢結し、支柱に沿って上向き姿勢とする閉脚姿勢と、該閉脚姿勢から反転して下向き傾斜姿勢とする開脚姿勢の間で回動自在とするように構成することが望ましく、これにより、シンプルな構造を提供することができる。
【０００８】
しかしながら、アウトリガー装置を提供する際には、開脚姿勢とした補助脚が高所作業時に万一不慮に閉脚すると、高所作業装置の転倒の危険があり、また、閉脚姿勢とした補助脚が万一不慮に開脚すると、運搬者や近隣の者を負傷させる等の危険があるため、信頼性の高い姿勢ロック装置を設けることが重要となる。
【０００９】
そして、姿勢ロック装置は、ロックの信頼性を高めるために、作業者に煩雑な操作を求めるように構成する場合は、作業者が操作を嫌がるばかりでなく、不完全な操作により不完全なロック状態を招くおそれがある。
【００１０】
このため、可及的シンプルな構成とした上で、ロック操作及びアンロック操作が簡単容易であると共に、信頼性の高いロック状態を得ることができる姿勢ロック装置を提供することが望ましく、この点に本発明の課題がある。
【課題を解決するための手段】
【００１１】
そこで、本発明が上記課題を解決するために手段として構成したところは、高所作業装置の支柱の外側面に位置して主軸を介して枢結された枢結部から延びる支脚を前記支柱に沿う上向き姿勢とする閉脚姿勢(P1)と、該閉脚姿勢から反転して下向き傾斜姿勢とする開脚姿勢(P2)との間で回動自在とする補助脚を設けて成るアウトリガー装置であり、前記支脚に設けられた被係止手段と、前記支柱の内側面に位置して設けられた係止手段により、姿勢ロック装置を構成し、前記被係止手段は、前記支脚と一体回動するように前記枢結部から延設された固定アームに設けた開脚ロック歯により構成され、前記開脚ロック歯は、前記支脚を開脚姿勢(P2)としたとき支柱の内側に突出し、前記支脚を開脚姿勢(P2)から閉脚方向(NG)に回動するとき下向き回動するように構成され、前記係止手段は、揺動軸を介して前記支柱に枢結されたロックアームの先端部に設けた開脚ロック爪により構成され、前記開脚ロック爪は、前記開脚ロック歯に向けて、前記ロックアームに設けられたスプリングにより該ロックアームと共に前記支柱の内側から外側に向かう噛合方向(F)に付勢され、前記支脚を開脚姿勢(P2)としたとき、前記支柱の内側で下向きとされる開脚ロック歯に対して前記開脚ロック爪が下側から噛合させられ、前記支脚を開脚姿勢(P2)としたとき、前記支柱の内側で下向きとされる開脚ロック歯に対して、前記開脚ロック爪が下側から噛合した状態で前記噛合方向(F)に圧接されるように構成されて成る点にある。
【００１２】
本発明の好ましい実施形態において、前記ロックアームは、揺動軸の中心から半径(R2)により規定される円弧(M2)に関し、該円弧(M2)に沿って揺動するように前記開脚ロック爪を設け、前記固定アームは、主軸の中心から半径(r2)により規定され、前記円弧(M2)に交わる円弧(m2)に関し、支脚を開脚姿勢(P2)としたときに前記ロックアームの円弧(M2)と該固定アームの円弧(m2)が交わる部位に臨んで前記開脚ロック歯を設けており、支脚を開脚姿勢としたとき、前記開脚ロック爪を前記開脚ロック歯に係止するように構成している。
【００１３】
この際、前記固定アームに設けた開脚ロック歯は、開脚姿勢とされた支脚の支柱に対する開脚角度を選択自在とする複数歯を該固定アームの延長方向に列設しており、前記複数歯は、前記揺動軸を中心とする開脚ロック爪の揺動軌跡(M2)に対して、該軌跡上に位置する標準歯と、該軌跡(M2)よりも内側又は外側に位置する少なくとも１個の選択歯を備えていることが好ましい。
【００１４】
本発明の実施形態において、前記ロックアームは、揺動軸の中心から距離を相違する２つの第１半径(R1)と第２半径(R2)により規定される２つの第１円弧(M1)と第２円弧(M2)に関し、第１円弧(M1)に沿って揺動するように閉脚ロック爪を設けると共に、第２円弧(M2)に沿って揺動するように前記開脚ロック爪を設け、前記固定アームは、主軸の中心から距離を相違する２つの第１半径(r1)と第２半径(r2)により規定され、それぞれ前記円弧(M1)(M2)に交わる２つの第１円弧(m1)と第２円弧(m2)に関し、支脚を閉脚姿勢としたときに前記ロックアームの第１円弧(M1)と該固定アームの第１円弧(m1)が交わる部位に臨んで閉脚ロック歯を設け、支脚を開脚姿勢としたときに前記ロックアームの第２円弧(M2)と該固定アームの第２円弧(m2)が交わる部位に臨んで前記開脚ロック歯を設けており、支脚を閉脚姿勢としたとき、前記閉脚ロック爪を前記閉脚ロック歯に係止し、支脚を開脚姿勢としたとき、前記開脚ロック爪を前記開脚ロック歯に係止するように構成している。
【００１５】
本発明の実施形態は、前記閉脚ロック爪と閉脚ロック歯による構成に代えて又はこの構成に加えて、支柱に貫設した係止孔と、補助脚に回動自在に枢結した基板部の係止突起により、補助脚を閉脚姿勢としたとき前記係止突起を係止孔に係脱自在に係止する閉脚ロック装置を構成しており、前記係止突起は、前記係止孔に進入自在な突起部と、該突起部の先端から折返された傾斜面を有するガイド部と、該ガイド部の先端の係止端部を備え、前記基板部は、スプリングにより前記係止端部を回動方向の前向きとする回動方向(R1)に付勢されると共に、該基板部から延設された操作アームの操作部を補助脚に形成した窓孔から突出させ、該操作部を介して基板部をスプリングに抗する逆転方向(R2)に回動可能とするように構成しており、補助脚を支柱に重ねた閉脚姿勢としたとき、係止孔の係止縁が前記ガイド部を押圧することにより基板部及び係止突起をスプリングに抗して逆転方向(R2)に回動させることにより係止突起を係止孔に挿入させ、ガイド部が前記係止縁を乗り越えたとき、基板部及び係止突起をスプリングにより回動方向(R1)に回動復帰させることにより係止端部を係止縁から偏位した個所に係止し、係止突起を係止孔に脱出不能にロックするように構成している。
【発明の効果】
【００１６】
本発明によれば、高所作業装置におけるアウトリガー装置において、補助脚を閉脚姿勢と開脚姿勢としてロックするための姿勢ロック装置は、部品点数が少なく構造がシンプルであると共に、ロック操作及びアンロック操作が容易であり、しかも、信頼性の高いロック状態を得ることが可能になるという効果がある。
【図面の簡単な説明】
【００１７】
【図１】本発明に係るアウトリガー装置を備えた高所作業装置の１例を示す斜視図である。
【図２】本発明に係るアウトリガー装置の１実施形態に関して、補助脚を閉脚した状態を示す斜視図である。
【図３】補助脚を構成する支脚と姿勢ロック装置を構成する固定アームを分解状態で示す斜視図である。
【図４】固定アームを取付けた状態の支脚と、高所作業装置の支柱を示す斜視図である。
【図５】姿勢ロック装置を構成するロックアームの構成部材を分解状態で示す斜視図である。
【図６】構成部材を組立てた状態のロックアームと、高所作業装置の支柱を示す斜視図である。
【図７】ロックアームの閉脚ロック爪及び開脚ロック爪と、固定アームの閉脚ロック歯及び開脚ロック歯の相互関係を示しており、（Ａ）は閉脚姿勢時の作用を示す正面図、（Ｂ）は開脚姿勢時の作用を示す正面図である。
【図８】補助脚を閉脚姿勢とした状態における姿勢ロック装置の作用を示しており、（Ａ）は全体を示す正面図、（Ｂ）は姿勢ロック装置だけを示す拡大正面図である。
【図９】補助脚を閉脚姿勢とした状態から姿勢ロック装置をアンロックすることにより開脚姿勢とするための方法を示す正面図である。
【図１０】補助脚を開脚姿勢とした状態における姿勢ロック装置の作用を示しており、（Ａ）は全体を示す正面図、（Ｂ）は姿勢ロック装置だけを示す拡大正面図である。
【図１１】複数歯から成る開脚ロック歯と開脚ロック爪の位置関係を示しており、（Ａ）は標準歯と選択歯の位置関係を示す説明図、（Ｂ）は開脚角度を選択するための作用を示す説明図である。
【図１２】閉脚姿勢とした補助脚をロックするために構成された閉脚ロック装置の１例を示しており、補助脚を支柱に対面させた外嵌直前の状態を示す斜視図である。
【図１３】閉脚ロック装置の作用に関して、補助脚を支柱に対してロックした状態を示す斜視図である。
【図１４】閉脚ロック装置の作用に関して、アンロックした補助脚を支柱から離反させた状態を示す斜視図である。
【図１５】高所作業装置の左右支柱に対して左右一対の補助脚を設ける場合において、左右の補助脚の閉脚ロック装置を共通部品により構成した実施例を説明する側面図である。
【図１６】閉脚ロック装置の操作アームに関する好ましい実施形態を示しており、（Ａ）は操作アームの構成を示す側面図、（Ｂ）は基板部に対する操作アームの第１取付形態を示す側面図、（Ｃ）は基板部に対する操作アームの第２取付形態を示す側面図である。
【発明を実施するための形態】
【００１８】
以下図面に基づいて本発明の好ましい実施形態を詳述する。
【００１９】
図１は、高所作業装置１の１例としての脚立１ａを示しており、脚立１ａは、梯子状の脚体２を備え、頂部の天板３に臨んで設けられた枢支手段を介して、一対の脚体２、２が対面状態で近接・離反方向に開閉自在に構成されており、各脚体２は、ほぼハ字状に並設された一対の支柱４、４に踏桟５を架設した梯子状に形成されている。
【００２０】
そこで、本発明のアウトリガー装置６は、前記支柱４、４のうち所望の支柱４、つまり、少なくとも１本の支柱４の外側面に装着される。図１は、一方の脚体２における一対の支柱４、４にそれぞれアウトリガー装置６、６を設けた状態を示しているが、これに限定されないことは勿論である。また、高所作業装置１として脚立１ａを図示しているが、本発明のアウトリガー装置６は、脚立の他、梯子や、作業台等、伸縮支柱を備えた種々の高所作業装置に任意に装着可能である。更に、支柱４は、伸縮脚と非伸縮脚の何れであるかを問わない。
【００２１】
アウトリガー装置６は、高所作業装置１の支柱４に付設された補助脚７により構成されており、補助脚７は、前記支柱４に対して主軸８を介して枢結された枢結部９から延びる支脚１０を備え、該支脚１０を前記支柱４に沿って上向き姿勢とする閉脚姿勢Ｐ１と、該閉脚姿勢から反転して下向き傾斜姿勢とする開脚姿勢Ｐ２との間で回動自在とするように構成されており、補助脚７に被係止手段１１を設けると共に、前記支柱４に係止手段１２を設けることにより、姿勢ロック装置１３を構成している。
【００２２】
図１ないし図４に示すように、支脚１０は、金属板を折曲することにより底壁７ａと両側壁７ｂ、７ｂを備えた溝形に形成され、これにより、閉脚姿勢Ｐ１としたとき、支柱４を外側から外嵌状態で被う構成とすることが好ましい。図例の場合、底壁７ａを越えて延びる両側壁７ｂ、７ｂのブラケット７ｃ、７ｃに枢支孔を設けることより前記枢結部９、９を形成し、両側壁７ｂ、７ｂを支脚１０の先端に向けて次第に細幅となるように、つまり、次第に溝を浅くするように形成され、両側壁７ｂ、７ｂの縁部を外側に折返し、補強リブ７ｄを設けることにより補強されている。
【００２３】
前記姿勢ロック装置１３を構成する被係止手段１１は、図３及び図４に示すように、前記支脚１０のブラケット７ｃ、７ｃを含む個所に取付固着される高強度の金属板から成る固定金具１４により構成されている。固定金具１４は、前記支脚１０のブラケット７ｃ、７ｃの間に臨む個所で底壁７ａに重ねられリベット等の固着具により固着される取付部１４ａを備え、該取付部１４ａの両端からブラケット７ｃ、７ｃの外側面に重ねられる補強部１４ｂ、１４ｂを含む固定アーム１５、１５を延設している。
【００２４】
図示実施形態の場合、重ね合わせたブラケット７ｃと補強部１４ｂの積層体を支柱４の両側面に添設した状態で前記主軸８を貫通することにより軸支しており、この積層体により前記枢結部９を構成しているが、ブラケット７ｃと補強部１４ｂの何れか一方により枢結部９を構成しても良い。この際、図４に示すように、支柱４を溝型部材により構成している場合、該溝内で主軸８をカラー８ａに挿通させることが好ましい。尚、図示実施形態の場合、支柱４に枢結部９を直接に枢結しているが、支柱４に別体の金具等を設け、枢結部９を間接的に枢結するように構成しても良い。
【００２５】
そこで、前記固定アーム１５は、支脚１０と一体回動するように前記枢結部９から延びる延長部に位置して、支脚１０を閉脚姿勢Ｐ１としたとき、支柱４の内側に臨んで突出して上向きになる閉脚ロック歯１６を設けると共に、支脚１０を開脚姿勢Ｐ２としたとき、支柱４の内側に向けて突出して下向きになる開脚ロック歯１７を設けている。
【００２６】
前記姿勢ロック装置１３を構成する係止手段１２は、図５及び図６に示すように、溝型部材から成る支柱４の内側に揺動軸１８を介して枢結された下向き姿勢のロックアーム１９を備え、該ロックアーム１９の下端部に閉脚ロック爪２０と開脚ロック爪２１を設けることにより構成されており、ロックアーム１９の下端部を支柱４の内側から外側に向かう回動方向に付勢するスプリング２２を設けている。
【００２７】
図示実施形態の場合、支柱４の溝底にボルト等の固着具を介して断面コ字形の軸受部材２３を固着し、該軸受部２３とロックアーム１９の尾端部に揺動軸１８を貫通させ、ロックアーム１９を支柱４に対して間接的に枢結しているが、揺動軸１８を支柱４の両側壁に貫通させることにより、軸受部材２３を不要として、ロックアーム１９を支柱４に直接に枢結するように構成しても良い。
【００２８】
ロックアーム１９は、高強度の金属板により形成されており、平板部１９ａの両側縁から折曲された側壁１９ｂ、１９ｂを前記軸受部２２の両側面に重ね合わせ、揺動軸１８を貫通することにより枢結され、平板部１９ａの下端部の両側に耳状片１９ｃ、１９ｃを突設すると共に、両耳状片１９ｃ、１９ｃの間から下向きに突出する舌片１９ｄを設け、該舌片１９ｄにより操作部２４を構成している。
【００２９】
前記耳状片１９ｃ、１９ｃは、図例の場合、補強板２５を重ねた状態でリベット等の固着具により固着しており、重ねられた補強板２５と耳状片１９ｃ、１９ｃの下縁により前記閉脚ロック爪２０を形成し、上縁により前記開脚ロック爪２１を形成している。
【００３０】
前記スプリング２２は、軸受部材２３の内部で揺動軸１８に外挿される鶴巻バネにより構成され、ロックアーム１９の下端部を支柱４の溝底に向けて回動させる方向に付勢し、常時は、前記耳状片１９ｃ、１９ｃに重ねられた補強板２５を支柱４の側縁部に押圧状態で当接する。
【００３１】
姿勢ロック装置１３の係止手段１２を構成するロックアーム１９に設けられた閉脚ロック爪２０及び開脚ロック爪２１と、被係止手段１１を構成する補助脚７の固定アーム１５に設けられた閉脚ロック歯１６及び開脚ロック歯１７は、図７に示すような関係となるように構成されている。
【００３２】
図７（Ａ）に示すように、ロックアーム１９は、揺動軸１８の中心から距離を相違する２つの第１半径Ｒ１と第２半径Ｒ２（図示の場合、Ｒ１＞Ｒ２）により規定される２つの第１円弧Ｍ１と第２円弧Ｍ２（図示の場合、Ｍ１＞Ｍ２）に関し、第１円弧Ｍ１に沿って揺動するように閉脚ロック爪２０を設けると共に、第２円弧Ｍ２に沿って揺動するように前記開脚ロック爪２１を設けている。
【００３３】
これに対して、固定アーム１５は、主軸８の中心から距離を相違する２つの第１半径ｒ１と第２半径ｒ２（図示の場合、ｒ１＜ｒ２）により規定され、それぞれ前記円弧Ｍ１、Ｍ２に交わる２つの第１円弧ｍ１と第２円弧ｍ２（図示の場合、ｍ１＜ｍ２）に関し、支脚１０を閉脚姿勢Ｐ１としたときに前記ロックアーム１９の第１円弧Ｍ１と該固定アーム１５の第１円弧ｍ１が交わる部位に臨んで閉脚ロック歯１６を設け、支脚１０を開脚姿勢Ｐ２としたときに前記ロックアーム１９の第２円弧Ｍ２と該固定アーム１９の第２円弧ｍ２が交わる部位に臨んで前記開脚ロック歯１７を設けている。
【００３４】
その結果、支脚１０を閉脚姿勢Ｐ１としたときは、図７（Ａ）に示すように、閉脚ロック爪２０が閉脚ロック歯１６に係止することにより閉脚姿勢Ｐ１を保持する。また、支脚１０を支柱４に対して所定角度θで開くように開脚姿勢Ｐ２としたときは、図７（Ｂ）に示すように、支柱４の内側で下向きとされる開脚ロック歯１７に対して開脚ロック爪２１が下側から係止することにより開脚姿勢Ｐ２を保持する。
【００３５】
図８は、アウトリガー装置６の使用を必要とせず補助脚７を格納させるために閉脚姿勢Ｐ１とした状態を示している。補助脚７は、主軸８から支柱４に沿って上向きとされ、支柱４を嵌入させることにより該支柱４を外側から被い、コンパクトに格納されている。この状態で、姿勢ロック装置１３の被係止手段１１を構成する固定アーム１５は、閉脚ロック歯１７だけを支柱４の内側に突出させる以外は、ほぼ全体が支柱４の側面に重ねられ、不要な突起物を形成しない。この状態で、係止手段１２を構成するロックアーム１９は、閉脚ロック爪２０を閉脚ロック歯１６に噛合状態で係止し、スプリング２２の付勢力により、閉脚ロック爪２０を矢印Ｆで示すように噛合方向に圧接させている。従って、高所作業装置１の持ち運び等に際して、補助脚７が開脚方向の外力を受けたとしても、姿勢ロック装置１３によるロック状態がアンロックされるおそれはない。
【００３６】
この状態から、高所作業時にアウトリガー装置６を使用するため補助脚７を開脚させるときは、図９に示すように、操作部２４に作業者の指先を掛けることにより、ロックアーム１９をスプリング２２に抗して揺動させれば、閉脚ロック爪２０が閉脚ロック歯１６から離反し、姿勢ロック装置１３をアンロックする。従って、補助脚７は、図示のように、開脚方向に向けて回動させることが可能となる。
【００３７】
図１０は、補助脚７を開脚姿勢Ｐ２とした状態を示しており、補助脚７は、前記閉脚姿勢Ｐ１から反転して下向き傾斜姿勢とされ、支柱４に対して所定角度θで開いた状態を保持し、支脚１０の先端部を地面ないし床面Ｇに接支又は近接させ、所期のアウトリガーとして機能する。
【００３８】
この状態で、係止手段１２を構成するロックアーム１９は、開脚ロック爪２１を開脚ロック歯１７に下側から噛合状態で係止し、スプリング２２の付勢力により、開脚ロック爪２１を矢印Ｆで示すように噛合方向Ｆに圧接させている。従って、図１０に示すように、高所作業時にアウトリガー装置６の補助脚７が所定角度θを広げる方向、つまり、図示矢印ＮＧで示す閉脚方向ＮＧの外力を受けたとしても、これに起因して回動しようとする固定アーム１５における開脚ロック歯１７の下向き回動方向に対して、開脚ロック爪２１が下側から対向して噛合すると共に、前記スプリング２２により噛合方向Ｆに付勢された状態で圧接しているので、姿勢ロック装置１３によるロック状態がアンロックされるおそれはない。
【００３９】
アウトリガー装置６は、姿勢ロック装置１３により、開脚姿勢Ｐ２とされた支脚１０の前記開脚角度θを選択自在とするように構成されており、これにより、例えば地面ないし床面Ｇが不陸状態等の場合でも、支脚１０の先端部を好適に接地させることができるように構成されている。
【００４０】
これを可能にするため、図１１に示すように、前記開脚ロック歯１７は、固定アーム１５の延長方向に列設された複数歯を備えている。複数歯は、前記揺動軸１８を中心とする第２半径Ｒ２により規定されるロックアーム１９の第２円弧Ｍ２、つまり、開脚ロック爪２１の揺動軌跡に対して、該軌跡上に位置する標準歯１７ａと、該軌跡よりも第２半径Ｒ２に関して内側又は外側に位置する少なくとも１個の選択歯を備えている。図示実施形態の場合、前記標準歯１７ａを挟んで、固定アーム１５の先端側に前記第２半径Ｒ２の内側に位置する第１選択歯１７ｂを設け、その反対側に前記第２半径Ｒ２の外側に位置する第２選択歯１７ｃを設けている。
【００４１】
開脚ロック爪２１を標準歯１７ａに係止させたとき、図１１（Ａ）に示すように、ロックアーム１９は、前記揺動軸１８の中心と開脚ロック爪２１を結ぶ半径Ｒ２で示される姿勢Ｘ１を保持し、固定アーム１５は、前記主軸８の中心と標準歯１７ａを結ぶ半径ｒ２で示される姿勢Ｙ１を保持することにより、支脚１０は、支柱４に対する開脚角度を所定角度θとした状態でロックされている。
【００４２】
この状態から、開脚角度を前記所定角度θによりも小さくした状態で支脚１０をロックする場合は、図１１（Ｂ）に示すように、固定アーム１５を前記姿勢Ｙ１から図示の姿勢Ｙ２に変更すると共に、ロックアーム１９を前記姿勢Ｘ１から図示の姿勢Ｘ２に変更すれば、開脚ロック爪２１が第２選択歯１７ｃに係止し、これにより、小さい開脚角度を保持した開脚姿勢Ｐ２で支脚１０をロックすることができる。
【００４３】
図示省略しているが、開脚角度を前記所定角度θによりも大きくした状態で支脚１０をロックする場合は、ロックアーム１９及び固定アーム１５を前記とは逆方向に姿勢変更させれば、開脚ロック爪２１が第１選択歯１７ｂに係止し、これにより、大きい開脚角度を保持した開脚姿勢Ｐ２で支脚１０をロックすることができる。
【００４４】
このような開脚角度θを変更するための姿勢変更や、支脚１０を開脚姿勢Ｐ２から閉脚姿勢Ｐ１とするための姿勢変更は、簡単容易に行うことができる。即ち、操作部２４に作業者の指先を掛け、ロックアーム１９をスプリング２２に抗して揺動させるだけで簡単容易にアンロック状態が得られ、姿勢変更後は、指先から操作部２４を解放すれば、ロックアーム１９がスプリング２２で回動することにより自動的にロック状態が得られる。
【００４５】
本発明が図示の実施形態に限定されないことは勿論であり、例えば、上述した実施形態では、ロックアーム１９を揺動軸１８から下向き姿勢として配置した構成としたので、これに適合するように、ロックアーム１９の閉脚ロック爪２０及び開脚ロック爪２１と、固定アーム１５の閉脚ロック歯１６と開脚ロック歯１７の配置関係を図示のように構成しているが、揺動軸１８を主軸８よりも下方位置に設けることにより、ロックアーム１９を上向き姿勢として配置する構成としても良く、この場合でも、閉脚ロック爪２０及び開脚ロック爪２１と、閉脚ロック歯１６と開脚ロック歯１７の配置関係を設計変更すれば、上記と同様の機能及び作用を備えた姿勢ロック装置１３を提供することが可能である。
【００４６】
（閉脚ロック装置）
図１２ないし図１５は、閉脚姿勢Ｐ１とした補助脚７をガタツキなくロックするために構成した閉脚ロック装置２６の１例を示している。上述のように、補助脚７は、閉脚姿勢Ｐ１とした状態で、姿勢ロック装置１３の閉脚ロック歯１６と閉脚ロック爪２０の係止によりロックされるが、このような構成に代えて又はこのような構成に追加して、閉脚ロック装置２６を設けることができる。
【００４７】
図１２に示すように、閉脚ロック装置２６は、支柱４に貫設した係止孔２７と、補助脚７を構成する支脚１０に設けた係止突起２８により構成されており、補助脚７を支柱４に外嵌させることにより閉脚姿勢Ｐ１としたとき、前記係止突起２８を係止孔２７に係脱自在に係止させるように構成している。
【００４８】
前記係止突起２８は、補助脚７の底壁７ａに固着されたボルト等の枢軸２９を介して回動自在に枢支された基板部３０に設けられており、前記係止孔２７に進入自在とされる突出部２８ａと、該突起部２８ａの先端から折返されることにより傾斜面を備えたガイド部２８ｂと、該ガイド部２８ｂの先端に形成された係止端部２８ｃを備えている。
【００４９】
前記基板部３０は、スプリング３１により前記係止端部２８ｃを回動方向の前向きとする回動方向Ｒ１に付勢されており、該基板部３０から延設された操作アーム３２の先端の操作部３２ａを補助脚７の側壁７ｂに形成した窓孔３３から突出させている。尚、窓孔３３は、基板部３０の回動と共に移動する操作アーム３２の移動ストロークを確保できる大きさに形成されている。
【００５０】
そこで、前記回動方向Ｒ１に付勢された基板部３０は、操作アーム３２を窓孔３３の側縁に当接した状態で保持されており、この状態で、前記係止突起２８が支柱４の係止孔２７に対面すると共に、係止孔２７の係止縁２７ａに対して前記ガイド部２８ｂが臨ませられるように構成している。
【００５１】
従って、図１２に示すように補助脚７を支柱４に対面させた状態から、図１３に示す閉脚姿勢Ｐ１とするために、補助脚７を支柱７に外嵌させると、係止突起２８が係止孔２７に押し込まれる。係止突起２８が係止孔２７に進入する際、ガイド部２８ｂが係止縁２７ａにより押圧され、基板部３０をスプリング３１に抗して逆転方向Ｒ２に回動させ、これにより係止突起２８の全体を係止孔２７に挿入する。挿入によりガイド部２８ｂが係止縁２７ａを乗り越えると、スプリング３１により基板部３０が回動方向Ｒ１に回動復帰し、図１３に示すように、係止突起２８の係止端部２８ｃを係止縁２７ａから偏位するように移動させ、これにより、係止突起２８を係止孔２７から脱出不能とするようにロックする。このように、閉脚ロック装置２６をロックさせる際は、上述の主軸８を支点として補助脚７を支柱４に重なる位置まで回動させるだけで良く、ワンタッチによる自動的ロックが可能である。しかも、補助脚７を閉脚姿勢Ｐ１の状態でガタツキが生じないようにロック保持できるので、高所作業装置１の運搬等に際して騒音を生じることがない。
【００５２】
補助脚７を支柱４から離反させて開脚姿勢Ｐ２とする際、閉脚ロック装置２６をアンロックするためには、図１４に示すように、窓孔３３から突出した操作アーム３２の操作部３２ａに作業者の指先を掛けることにより、基板部３０をスプリング３１に抗して逆転方向Ｒ２に回動すれば、係止端部２８ｃが係止孔２７の内部に位置し、係止突起２８を係止孔２７から脱出可能とするので、その状態で補助脚７を支柱４から引き離せば良い。このように、閉脚ロック装置２６をアンロックさせる際は、操作アーム３２の操作部３２ａに指を掛けることにより回動させ、その状態で他の指により補助脚７を保持しつつ開脚姿勢に向けて回動させれば良い。
【００５３】
図１５は、閉脚ロック装置２６を構成するための部品に関する好ましい実施例を示しており、図１に示すように左右の支柱４、４にそれぞれアウトリガー装置６、６を設ける場合に有利となる構成を示している。尚、図示省略しているが、左右の支柱４、４には、前記係止孔２７が設けられている。
【００５４】
補助脚７は、左右のアウトリガー装置６、６に共通して使用可能とするため、底壁７ａの左右中央位置に前記枢軸２９を固着するための取付孔３４を設け、該取付孔３４の両側に位置する側壁７ｂ、７ｂに左用窓孔３３Ｌと右用窓孔３３Ｒを設けている。尚、窓孔は、図示のように、作業者の指を操作アーム３２の操作部３ａに掛けやすくするように、側壁７ｂから底壁７ａに延びる切欠き状の開口部により形成することが好ましい。
【００５５】
前記基板部３０と操作アーム３２は、別々の金属板により形成された２部品により構成されており、両部品を取着することにより、左用アセンブリ２８Ｌと右用アセンブリ２８Ｒを提供することができるように構成されている。
【００５６】
図示のように、基板部３０は、取付基板３０ａから延設された延長部３０ｂを介して前記係止突起２８を設けており、前記取付孔３４に対して、上述の枢軸２９により回動自在に枢支され、スプリング３１により回動方向Ｒ１に付勢される。スプリング３１は、鶴巻バネにより構成され、一端部を補助脚７の止孔３５に係止し、他端部を係止突起２８の近傍に係止している。従って、左右のアウトリガー装置６、６に関して、左側の補助脚７に取付けられる左用アセンブリ２８Ｌと、右側の補助脚７に取付けられる右用アセンブリ２８Ｒの相互において、係止突起２８を備えた基板部３０と枢軸２９とスプリング３１は、同じ形態で取付けられ、両者とも図示時計針方向となる回動方向Ｒ１に付勢される。
【００５７】
前記基板部３０取付基板３０ａは、下側に左用取着孔３０ｃ、３０ｃを設け、上側に右用取着孔３０ｄ、３０ｄを設けており、それぞれを選択することにより、操作アーム３２を左側用又は右側用として取付けるように構成している。
【００５８】
操作アーム３２は、前記操作部３２ａを含むアーム部３２ｂと、該アーム部３２ｂから上下方向に偏位して延設された取付部３２ｃを備えており、図示省略しているが、取付部３２ｃは、リベット等の固着具により前記取着孔３０ｃ、３０ｄに取着される孔を設けている。
【００５９】
そこで、左用アセンブリ２８Ｌを構成する基板部３０には、操作アーム３２の取付部３２ｃを左用取着孔３０ｃ、３０ｃにリベット等の固着具で固着することにより、アーム部３２ｂを上側に位置させ、操作部３２ａを左用窓孔３３Ｌに挿通させる。
【００６０】
また、右用アセンブリ２８Ｒを構成する基板部３０には、操作アーム３２の取付部３２ｃを右用取着孔３０ｄ、３０ｄにリベット等の固着具で固着することにより、アーム部３２ｂを下側に位置させ、操作部３２ａを右用窓孔３３Ｒに挿通させる。
【００６１】
これにより、図示のように、左用アセンブリ２８Ｌと右用アセンブリ２８Ｒの間において、それぞれ窓孔３４Ｌ、３４Ｒに挿通された操作アーム３２の操作部３２ａ、３２ａの位置が相互に整列される。図例の場合、何れも枢軸２９を通過する水平線上に位置する。
【００６２】
従って、上記のようにして、左用アセンブリ３８Ｌを設けた補助脚７により左側のアウトリガー装置６を構成し、右用アセンブリ３８Ｒを設けた補助脚７により右側のアウトリガー装置６を構成することができる。この際、左右のアウトリガー装置６、６における補助脚７、７の同一側面、つまり、作業者が操作のためにアクセスする側（図１に矢印ＡＣで示す）にそれぞれの操作部３２ａ、３２ａが臨んでいるので、操作が容易である。
【００６３】
そして、左右アセンブリ２８Ｌ、２８Ｒは、同一部品で構成されており、基板部３０に対して操作アーム３２を反対向きとして、左用取着孔３０ｃと右用取着孔３０ｄを選択して取付けることによりアセンブリが可能であるから、部品の共通化による低コスト生産に寄与する。
【００６４】
この際、図示のように、アンロック時の操作アーム３２の逆転方向Ｒ２に関して、左用アセンブリ２８Ｌでは下向きとなり、右用アセンブリ２８Ｒでは上向きとなるため、補助脚７の側壁７ｂ、７ｂに上下方向を逆向きに延長させた左右窓孔３３Ｌ、３３Ｒを形成するだけで、左右アセンブリ２８Ｌ、２８Ｒに対応することが可能である。従って、左用アセンブリ２８Ｌを組付けた補助脚７は、右用窓孔３３Ｒを遊ばせておき、右用アセンブリ２８Ｒを組付けた補助脚７は、左用窓孔３３Ｌを遊ばせておくだけで、左右のアウトリガー装置６、６を提供することができる。
【００６５】
（操作アームの構成と取付形態）
好ましい実施形態において、開閉ロック装置２６を構成する操作アーム３２は、基板部３０に対して取付けられる際、図１６（Ｂ）に示すような第１取付形態と、図１６（Ｃ）に示すような第２取付形態を選択可能とするように構成されている。
【００６６】
即ち、操作アーム３２は、取付形態を選択することによりアーム部３２ｂと取付部３２ｃが交互に変更されるように構成されている。そこで、上述した取付部３２ｃを基板部３０に取着し、アーム部３２ｂを窓孔３３に挿通させるように取付けた場合を図１６（Ｂ）に示す第１取付形態Ｍ１とした場合、これとは別に、操作アーム３２を反転させることにより、前記第１取付形態Ｍ１の場合におけるアーム部３２ｂを取付部（３２ｃ）として基板部３０に取着することにより、前記第１取付形態Ｍ１の場合における取付部３２ｃをアーム部（３２ｂ）とさせて窓孔に挿通させるようにした場合を図１６（Ｃ）に示す第２取付形態Ｍ２とすることが可能である。
【００６７】
このため、図１６（Ａ）に示すように、操作アーム３２は、上述した基板部３０の左用取着孔３０ｃ又は右用取着孔３０ｄの１つに取着される１つの取着孔３６を中心として、点対称位置に第１取着孔３６ａと第２取着孔３６ｂを設けており、第１取着孔３６ａから所定距離Ｌ１の位置に第１操作部３２ａ１を形成する一方において、第２取着孔３６ｂから所定距離Ｌ２の位置に第２操作部３２ａ２を形成しており、Ｌ１＜Ｌ２となるように構成している。尚、図示実施形態の場合、第２取着孔３６ｂの近傍部に孔等から成る目印３７が設けられており、基板部３０に対して取付けの際に、操作アーム３２が第１取付形態Ｍ１と第２取付形態Ｍ２の何れの姿勢とされているのか目視により確認可能としている。
【００６８】
そこで、図１６（Ｂ）に示すように第１取着孔３６ａを基板部３０に取着することにより第１取付形態Ｍ１とした場合は、枢軸２９から第１操作部３２ａ１までの距離がＬ＋Ｌ１とされるのに対して、図１６（Ｃ）に示すように第２取着孔３６ｂを基板部３０に取着することにより第２取付形態Ｍ２とした場合は、枢軸２９から第１操作部３２ａ１までの距離がＬ＋Ｌ２とされ、その距離を長短相違させることが可能である。
【００６９】
従って、このように構成することにより、アウトリガー装置６が大型又は小型とされ、補助脚７の幅寸法が相違する結果、前記枢軸２９の取付孔３４から窓孔３３までの距離が相違している場合でも、操作アーム３２の取付形態を変更するだけで簡単に対応させることができる利点がある。
【符号の説明】
【００７０】
１  高所作業装置
１ａ  脚立
２  脚体
３  天板
４  支柱
５  踏桟
６  アウトリガー装置
７  補助脚
７ａ  底壁
７ｂ  側壁
７ｃ  ブラケット
７ｄ  補強リブ
８  主軸
８ａ  カラー
９  枢結部
１０  支脚
１１  被係止手段
１２  係止手段
１３  姿勢ロック装置
１４  固定金具
１４ａ  取付部
１４ｂ  補強部
１５  固定アーム
１６  閉脚ロック歯
１７  開脚ロック歯
１７ａ  標準歯
１７ｂ  第１選択歯
１７ｃ  第２選択歯
１８  揺動軸
１９  ロックアーム
１９ａ  平板部
１９ｂ  側壁
１９ｃ  耳状片
１９ｄ  舌片
２０  閉脚ロック爪
２１  開脚ロック爪
２２  スプリング
２３  軸受部材
２４  操作部
２５  補強板
２６  閉脚ロック装置
２７  係止孔
２７ａ  係止縁
２８  係止突起
２８ａ  突起部
２８ｂ  ガイド部
２８ｃ  係止端部
２８Ｌ  左用アセンブリ
２８Ｒ  右用アセンブリ
２９  枢軸
３０  基板部
３０ａ  取付基板
３０ｂ  延長部
３０ｃ  左用取着孔
３０ｄ  右用取着孔
３１  スプリング
３２  操作アーム
３２ａ  操作部
３２ａ１  第１操作部
３２ａ２  第２操作部
３２ｂ  アーム部
３２ｃ  取付部
３３  窓孔
３３Ｌ  左用窓孔
３３Ｒ  右用窓孔
３４  取付孔
３５  止孔
３６  取着孔
３６ａ  第１取着孔
２６ｂ  第２取着孔
３７  目印
【図１】
0006771312.tif 000002
【図２】
0006771312.tif 000003
【図３】
0006771312.tif 000004
【図４】
0006771312.tif 000005
【図５】
0006771312.tif 000006
【図６】
0006771312.tif 000007
【図７】
0006771312.tif 000008
【図８】
0006771312.tif 000009
【図９】
0006771312.tif 000010
【図１０】
0006771312.tif 000011
【図１１】
0006771312.tif 000012
【図１２】
0006771312.tif 000013
【図１３】
0006771312.tif 000014
【図１４】
0006771312.tif 000015
【図１５】
0006771312.tif 000016
【図１６】
0006771312.tif 000017